(57)【要約】【課題】立体であり動態的な３Ｄの動的表示装置を提供する。【解決手段】左右二つの固定柱を備える。固定柱の互いに対向している面に昇降装置が設けられている。支持軸は、複数の可動部材の中央を貫通し、両端が昇降装置に接続されている。固定柱或いは可動部材の表面にはモニタまたは投影結像用手段が設けられている。モニタ、昇降装置、及び桁構え軸は、制御システムにそれぞれ電気的に接続されている。モニタは、制御システムの制御により異なる影像表示する。可動部材は、制御システムの制御により、昇降システムの上昇或いは下降に合わせて、同時または別々に正方向または逆方向に支持軸を回転する。【選択図】図４
2014509401.tif 000002
【特許請求の範囲】
【請求項１】
左右二つの固定柱および複数の可動部材を備え、
二つの前記固定柱は、互いに対向している面に、昇降装置が設けられており、
複数の前記可動部材は、中央が支持軸により貫通され、
前記支持軸は、両端が前記昇降装置にそれぞれ結合されており、
前記固定柱または前記可動部材は、表面にモニタまたは投影結像用手段が設けられており、
前記モニタ、前記昇降装置、及び前記支持軸は、制御システムに電気的に接続されており、
前記制御システムの制御により、前記モニタが異なる像を出力し、前記可動部材が前記昇降システムに沿って上昇、下降、または、同時もしくは別々に前記支持軸を正方向もしくは逆方向に回転することを特徴とする３Ｄの動的表示装置。
【請求項２】
複数の前記可動部材に伸縮可能な立体構造物が設けられており、
前記立体構造物、および、前記立体構造物の表面に設置されているモニタまたは投影用結像手段は、前記制御システムに電気的に接続されており、
前記制御システムの制御により、複数の前記立体構造物が同時または別々に前記可動部材から伸出または縮入することを特徴とする請求項１に記載の３Ｄの動的表示装置。
【請求項３】
回転台を更に備え、
二つの前記固定柱は、前記回転台に設置されており、
前記回転台は、回転機セットに結合されている回転軌道に設けられており、
前記制御システムの制御により、前記回転機セットは前記回転台を駆動し、正方向或いは逆方向に前記回転台を回転させることを特徴とする請求項１或いは請求項２に記載の立体動態の３Ｄの動的表示装置。
【請求項４】
前記回転台の表面には前記制御システムに電気的に接続されているモニタまたは投影結像用手段が設けられていることを特徴とする請求項３に記載の３Ｄの動的表示装置。
【請求項５】
前記モニタはＬＥＤ表示装置であることを特徴とする請求項４に記載の３Ｄの動的表示装置。
【請求項６】
前記固定柱及び前記可動部材は、直方体、立方体、或いは円柱体のいずれかの一つであることを特徴とする請求項１に記載の３Ｄの動的表示装置。  
【発明の詳細な説明】
【技術分野】
【０００１】
本発明は、表示装置に関し、制御システムの制御により異なる回転形式、及び、異なる像の表示を実現可能な３Ｄの動的表示装置に関する。
【背景技術】
【０００２】
従来の技術では表示装置の大部分が固定されている装置である。
【先行技術文献】
【特許文献】
【０００３】
【特許文献１】特開２００４−３３４１４５号公報
【発明の概要】
【発明が解決しようとする課題】
【０００４】
しかしながら、前述した従来の技術では、視野の角度及び表示装置の本体を変化して使用することが少なく、像の使用形式が制限されている。
【０００５】
そこで、本発明者は、上述の欠点が改善可能であると考え、鋭意検討を重ねた結果、合理的な設計で上記の課題を効果的に改善する本発明の提案に到った。
【０００６】
本発明は、このような従来の問題に鑑みてなされたものであり、３Ｄの動的表示装置を提供することを主目的とする。
【課題を解決するための手段】
【０００７】
上述した課題を解決し、目的を達成するために、本発明に係る３Ｄの動的表示装置は、左右二つの固定柱、および、複数の可動部材を備える。
二つの固定柱は、互いに対向している面に、昇降装置が設けられており、複数の可動部材は、中央が支持軸により貫通されている。支持軸は、両端が昇降装置にそれぞれ結合されており、固定柱または可動部材は、表面にモニタまたは投影結像用手段が設けられている。モニタ、昇降装置、及び支持軸は、制御システムにそれぞれ電気的に接続されている。制御システムの制御により、モニタが異なる像を出力し、可動部材が昇降システムに沿って上昇、下降、または、同時もしくは別々に前記支持軸を正方向もしくは逆方向に回転することを特徴とする。
【０００８】
また、本発明に係る３Ｄの動的表示装置は、各可動部材に少なくとも１つの伸縮可能な立体構造物が設置されている。立体構造物、及び、立体構造物の表面に設置されているモニタまたは投影用結像手段は、制御システムに電気的に接続されている。制御システムの制御により、複数の立体構造物は別々または同時に可動部材から伸出または縮入する。
【０００９】
また、本発明に係る３Ｄの動的表示装置は、回転台を更に備える。２つの固定柱は回転台に設置されている。回転台は、回転機セットに結合されている回転軌道に設けられている。制御システムの制御により、回転機セットは回転台を駆動し正方向或いは逆方向に回転台を回転させる。
【００１０】
また、本発明に係る３Ｄの動的表示装置は、回転台の表面に制御システムに電気的に接続されているモニタ或いは投影結像用手段が設けられている。
【００１１】
また、本発明に係る３Ｄの動的表示装置は、モニタがＬＥＤ表示装置である。
【００１２】
また、本発明に係る３Ｄの動的表示装置は、固定柱及び可動部材が、直方体、立方体、或いは円柱体の何れか一つである。
【００１３】
本発明は、使用上の需要に合わせて、多くの組合せの変化が可能であり、運搬する人員の安全性を向上することができる。
【図面の簡単な説明】
【００１４】
【図１】本発明の第一実施形態による３Ｄの動的表示装置を示す模式図である。
【図２】本発明の第一実施形態による３Ｄの動的表示装置を示す模式図である。
【図３Ａ】本発明の第二実施形態による３Ｄの動的表示装置を示す模式図である。
【図３Ｂ】本発明の第二実施形態による３Ｄの動的表示装置を示す模式図である。
【図４】本発明の第二実施形態による３Ｄの動的表示装置の作動を示す模式図である。
【発明を実施するための形態】
【００１５】
以下、本発明の実施形態を図面に基づいて詳細に説明する。なお、本発明は、以下の実施形態により限定されるものではない。
【００１６】
（第一実施形態）
本発明の第一実施形態による３Ｄの動的表示装置は、図１に示すように、二つの固定柱１を備え、二つの固定柱１の互いに対向している面には昇降装置が設置されている。支持軸は、複数の可動部材２の中央を貫通し、両端が昇降装置に接続されている。固定柱１或いは可動部材２の表面には、モニタまたは投影結像用手段（例えば、板或いは投影スクリーンなど）が設けられている。モニタは、ＬＥＤ表示装置、液晶表示装置、もしくは他の形式の表示装置である。モニタ、昇降装置、及び支持軸は制御システムに電気的に接続されている。モニタは、制御システムの制御により、配列を変化し、表示内容を変化する。モニタは、所定の重量を積載可能であり、表面に人が走行することができる。図２と図４に示すように、可動部材２は、制御システムの制御により、昇降システムの上昇或いは下降に合わせて、同時または別々に正方向または逆方向に桁構え軸を回転する。昇降装置の上昇および下降、ならびに、可動部材２の回転は、油圧、気圧、ギアの連動、または電気機械駆動方式の何れかで実現される。可動部材２の個数は需要に応じ任意に設定可能であり、特定の個数に限定されない。
【００１７】
（第二実施形態）
本発明の第二実施形態による３Ｄの動的表示装置を図３Ａおよび図３Ｂに基づいて説明する。
本実施形態では、各可動部材２に、１つまたは複数の伸縮可能な立体構造物３が設置されている。立体構造物３及びその表面には、制御システムに電気的に接続されているモニタ或いは投影結像用手段が設けられている。制御システムの制御により、立体構造物３は、別々または同時に可動部材２から伸出または縮入する。
図３Ａと図３Ｂに示すように、立体構造物３は、単独で伸縮し、または、異なる組合せで同時に伸縮する。各立体構造物３は、重量物または人を積載することが出来る。本実施形態では、立体構造物３は中空構造としてもよい。立体構造物３の表面の表示装置は、少なくとも１つが移動可能であり、人員または物体を運送可能である。
【００１８】
また、図２と図４に基づいて、本実施形態の作動について詳細に説明する。２つの固定柱１が設置されている回転台４は、回転軌道に設置されている。回転軌道は、複数の案内車に配置されており、複数の回転機セットに連結されている。回転機セットは、制御システムの制御により、回転台４を駆動し、回転軌道に沿って、正方向或いは逆方向に回転台４を回転させる。回転機セットは、現場の状況に応じて回転台４の外側または内側に装設されている。制御システムは、回転機セットと同じ側に装設されており、全ての回転機セットを制御し、回転機セットが同調回転を行うようにする。本実施形態に係る制御システムのコマンド入力モジュール及び実行モジュールは、機械側に装設されている機械の状態を検査するモジュールであり、有線或いは無線方式により構造の位置信号を影像再生機に伝送し、影像の変化に対して自動制御を行う。回転台４の表面には、制御システムに電気的に接続されているモニタ或いは投影結像用手段が設けられている。本実施形態では、モニタはＬＥＤ表示装置または他の表示装置であり、回転台４の断面は円形である。需要に合わせて、回転台４の断面を他の形状にしてもよい。
【００１９】
本実施形態では、固定柱１及び可動部材２は、直方体、立方体、或いは円柱体の何れか１つであり、需要に応じて他の形状にしてもよい。
【００２０】
本実施形態では、固定柱と可動部材との間には傾斜検知装置が設置されており、昇降装置が同調せずに傾斜した場合、傾斜検知装置が信号を検知し制御システムに伝送する。このとき制御システムにより昇降装置の作動を停止する。このほか安全を考慮し、制御システム内には相関する数値が設定されており、可動部材が安全ではない状況に置かれると動作が停止する。る。例えば、支持軸の高さの設定により、可動部材及び伸縮可能な立体構造物を制御し、動作するか否かを判断し、人等の安全を確保する。
【００２１】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、特許請求の範囲に含まれるものとする。
【符号の説明】
【００２２】
１・・・固定柱、
２・・・可動部材、
３・・・立体構造物、
４・・・回転台座。
【図１】
2014509401.tif 000003
【図２】
2014509401.tif 000004
【図３Ａ】
2014509401.tif 000005
【図３Ｂ】
2014509401.tif 000006
【図４】
2014509401.tif 000007
【国際調査報告】
2014509401.tif 000008
2014509401.tif 000009
2014509401.tif 000010
2014509401.tif 000011
2014509401.tif 000012
2014509401.tif 000013